(57)【要約】      （修正有）【課題】どこでも効率よく使用することが可能な無線マイク用送受信装置。【解決手段】送信機１０の一側にはプラグを形成して、マイク１の後端ジャックに差し込まれてマイク１のオン・オフ信号と数字キーと機能キーによる選択信号をはじめとしたマイク音声信号を受ける。送信機１０の他側には、選択信号及びマイク音声信号を無線伝送する送信アンテナ１３とリモコン受信部２３を形成して、リモコン５によるチャンネル設定情報の入力を受ける。マイク１を挿入するための据置台２０は、送信機１０に連結された端子を通じて電源を充電すると同時にリモコン５により送信機のチャンネル設定が可能としている。受信機３０本体は、受信される無線信号を処理し音響機器に伝達し、本体の後面には、端子用孔と端子用長孔を並べて端子が突き出されるように形成している。端子用長孔の内部には、案内顎部を形成し、端子用孔と端子用長孔との間隙を任意に調節可能にしている。【選択図】図４
2010158007.tif 000002
【特許請求の範囲】
【請求項１】
送信機１０の一側にはプラグ１１を形成し、マイク１の後端ジャック２に差し込まれてオン・オフ信号と選択信号及び音声信号の伝達を受けるようにし、
前記選択信号は、最初のマイク音声信号による０から９までの数字キーをはじめとして予約キーＳＷ１、機能選択キーＳＷ２、スタートキーＳＷ３及び停止キーＳＷ４のキーマトリックス３をマイク１に形成し、使用者の選択仕様を入力させるようにし、
前記送信機１０の内部には、内部の印刷回路基板３２を経由するうちに処理された高周波無線信号を送信アンテナ１３を介して無線で伝送しながら、リモコン受信部１４を介してリモコン５により使用者のチャンネル選択信号の伝達を受けるようにし、
前記送信機１０の組み合わされたマイク１を多数の挿入溝２１に挿入するようになっている据置台２０には、内部の端子２２を通じて電源とチャンネル選択信号を同時に送信機１０に伝達するようにし、
前記据置台２０の前面に形成のリモコン受信部２３を介して前記リモコン５による使用者のチャンネル選択信号の伝達を受けるようにし、
前記送信機１０の送信アンテナ１３からの無線信号を内部に内蔵の受信アンテナ３１を介して受信する受信機３０の内部にて印刷回路基板３２を経由するうちに受信された無線信号を処理し、端子３３、３５を介して音響機器４０に伝達しながら、選曲と音声の出力が可能であるように構成したことを特徴とする無線マイク用送受信装置。
【請求項２】
前記受信機３０の後面には、端子用孔３４と端子用長孔３６を並べて形成し、端子３３、３５が突き出されるようにし、
前記端子用長孔３６の内部には案内顎部３７を形成し、端子３５を差し込み支持するための支持孔３８が形成された端子支持片３９がこれに差し込まれた状態で往復移動するうちに端子用孔３４と端子用長孔３６との間隙を任意に調節することができるように構成したことを特徴とする請求項１に記載の無線マイク用送受信装置。 
【請求項３】
前記送信機１０は、
マイク１の後端ジャック２に差し込まれる送信機１０の一側プラグ１１を介して選択信号をはじめとしたマイク音声信号の伝達を受けるようになっているが、
前記プラグ１１を介して伝達されるスタートキーＳＷ１３による最初の選択信号は、ＰＮＰトランジスターＱ１を経て電源レギュレータ４１のイネーブル端子ＥＮに印加され、バッテリ４２からの電源が電源レギュレータ４１を経て一定の動作電源ＶＣＣとして供給されるようにし、
前記プラグ１１を介して伝達されるスタートキーＳＷ１３による最初の選択信号は、ＰＮＰトランジスターＱ２を経て電源レギュレータ４３のイネーブル端子ＥＮに印加され、送信機１０の動作電源ＶＣＣが電源レギュレータ４３を経てマイク１に一定のマイク動作電源ＡＶＣＣとして供給されるようにし、
前記プラグ１１を介して伝達されるスタートキーＳＷ１３による最初の選択信号は、ＰＮＰトランジスターＱ３を経て発振器４４を作動せしめ、４ＭＨｚの発振周波数をマイクロプロセッサー４５に伝達するようにし、
前記プラグ１１を経由したマイク音声信号と選択信号は、ダイオードＤ１、Ｄ２、Ｄ３、Ｄ４を備えたマイク入力コンプレッサーＩＣ４６に入力され、小さい信号は大きく増幅すると共に、大きい信号は小さく増幅するようにし、
前記マイク入力コンプレッサーＩＣ４６で増幅が行われたマイク音声信号と選択信号は、３２ＫＨｚの発振周波数と抵抗Ｒ１、Ｒ２とコンデンサーＣ１、Ｃ２、Ｃ３及びダイオードＤ５、Ｄ６、Ｄ７からなるプリエンファシス４７にて低いレベルは低く、高いレベルはさらに高く変換するようにし、
前記プリエンファシス４７により増幅されたマイク音声信号と選択信号は、前記スタート信号による電源が入力され、コイルＬ１とコンデンサーＣ４、Ｃ５、Ｃ６、Ｃ７と抵抗Ｒ３、Ｒ４及びトランジスターＱ４からなるＦＭ変調部４８に入力されるようにして前記発振周波数によって振幅が変わる周波数変調が行われるようにし、
前記ＦＭ変調部４８で周波数が変調された無線信号は、位相同期ループＩＣ(ＰＬＬ)４９に入力され、前記マイクロプロセッサー４５から伝達される基準信号の周波数と同様に分周された周波数の安定した発振出力を得ることができるようにし、
前記位相同期ループ４９からのマイク音声信号と選択信号は、前記マイクロプロセッサー４５から出力イネーブル信号ＴＸ-ＥＮの伝達を受け、コイルＬ２、Ｌ３とトランジスターＱ５、Ｑ６と抵抗Ｒ５、Ｒ６とコンデンサーＣ８、Ｃ９、Ｃ１０、Ｃ１１、Ｃ１２、Ｃ１３及びコイルＬ４、Ｌ５、Ｌ６からなる電力増幅器５０を経由し、送信アンテナ１３を介して高周波無線信号に出力されるようにし、
前記送信機１０が据置台２０に結合すると、送信アンテナ３が周波数セッティングのための信号端子の機能を奏しながら、４.２Ｖの電源端子１５と接地端子１６が通常の据置台２０から充電用電源を供給され、バッテリ４２に充電するように構成したことを特徴とする無線マイク用送受信装置。
【請求項４】
前記受信機３０は、
前記送信アンテナ１３から伝送され、受信機３０の受信アンテナ３１を介して受信されて伝達される高周波無線信号はフィルタ５１を経て低雑音高周波増幅器５２にて受信された無線信号の雑音指数を低くして２つの周波数にそれぞれ受信されるようにし、
前記低雑音高周波増幅器５２により雑音が除去された無線信号は、第１フィルタ５３を経て第１電圧制御発振器(１ＣＨ-ＶＣＯ)５４から電圧により出力される発振周波数と第１ミキサー５５にて混合されるようにして、受信したい周波数より中間周波数の１０.７Ｍｈｚさらに高い発振周波数と混合した混合周波数を得るようにし、
前記第１ミキサー５５からの混合周波数が第１の１０.７Ｍｈｚフィルタ５６を経由するうちに１０.７Ｍｈｚの中間周波数を得るようにし、
前記第１の１０.７Ｍｈｚフィルタ５６から伝達される１０.７Ｍｈｚの中間周波数を第１ＦＭ復調器５７にて本来のマイク音声信号と選択信号に復調するようにし、
前記復調された音声信号の伝達を受ける第１ディエンファシス５８で低いレベルは高く、高いレベルは低くすることにより、本来レベルのマイク音声信号と選択信号に変換するようにし、
前記第１ディエンファシス５８を経由した本来レベルのマイク音声信号は、第１音声フィルタ５９を経由するうちに１チャンネル音声信号に再生されるようにし、
前記第１音声フィルタ６９から出力される１チャンネル音声信号は、第１伸張器６０を経由するうちに小さい信号は小さく増幅すると共に、大きい信号は大きく増幅するようにし、音色の損なわれない原音に復元するようにし、
前記低雑音高周波増幅器５２により雑音が除去された無線信号は同時に第２フィルタ６１を経て第２電圧制御発振器(２ＣＨ-ＶＣＯ)６２から電圧により出力される発振周波数と第２ミキサー６３にて混合されるようにして、受信したい周波数より中間周波数の１０.７Ｍｈｚさらに高い発振周波数と混合した混合周波数を得るようにし、
前記第２ミキサー６３からの混合周波数が第２の１０.７Ｍｈｚフィルタ６４を経由するうちに１０.７Ｍｈｚの中間周波数を得るようにし、
前記第２の１０.７Ｍｈｚフィルタ６４から伝達される１０.７Ｍｈｚの中間周波数を第２ＦＭ復調器６５にて本来のマイク音声信号と選択信号に復調するようにし、
前記復調された音声信号の伝達を受ける第２ディエンファシス６６で低いレベルは高く、高いレベルは低くし、本来レベルのマイク音声信号と選択信号に変換するようにし、
前記第２ディエンファシス６６を経由した本来レベルのマイク音声信号は、第２音声フィルタ６７を経由するうちに２チャンネル音声信号に再生されるようにし、
前記第２音声フィルタ６７から出力される２チャンネル音声信号は、第２伸張器６８を経由するうちに小さい信号は小さく増幅しながら、大きい信号は大きく増幅するようにし、音色の損なわれない原音に復元するようにし、
前記第１伸張器６０及び第２伸張器６８からの原音は、音声ミキサー６９で混合された後、音声出力部７０を経て有線で連結された音響機器４０に伝達されるようにし、
前記第１ディエンファシス５８を経由した本来レベルの選択信号は、第１の３８ｋフィルタ７１を経由するうちに１チャンネル選択信号を通過するようにし、
前記第１の３８ｋフィルタ７１からの１チャンネル選択信号は、第１の３８ｋ-ａｓｋ復調器から振幅が高く来ると“１”と認識すると共に、振幅が低く来ると“０”と認識するうちに、第１チャンネル選択信号を復調するようにし、
前記第１の３８ｋ-ａｓｋ復調器７２からの第１チャンネル選択信号は、１チャンネルキーデータ検出部を経由するうちに１チャンネル選択信号のみが検出されるようにし、
前記第２ディエンファシス６６を経由した本来レベルの選択信号は、第２の３８ｋフィルタ７４を経由するうちに１チャンネル選択信号を通過するようにし、
前記第２の３８ｋフィルタ７４からの２チャンネル選択信号は、第２の３８ｋ−ａｓｋ復調器７５から振幅が高く来ると“１”と認識すると共に、振幅が低く来ると“０”と認識するうちに、第２チャンネル選択信号を復調するようにし、
前記第２の３８ｋ−ａｓｋ復調器７５からの第２チャンネル選択信号は、２チャンネルキーデータ検出部７６を経由するうちに２チャンネル選択信号のみが検出されるように、
前記１チャンネルキーデータ検出部７３からの１チャンネル選択信号と２チャンネルキーデータ検出部７６からの２チャンネル選択信号は、キーデータミキサー部７７を経るうちに混合されてマイクロプロセッサー７８に伝達されるようにし、
使用者がマイク１のキーマットリックス３を介して入力させた、選択によるデータ信号を認識した前記マイクロプロセッサー７８は、前記第１電圧制御発振器(１ＣＨ-ＶＣＯ)５４又は第２電圧制御発振器(２ＣＨ-ＶＣＯ)６２に１チャンネルと２チャンネルを選択するためのチャンネル周波数を出力するようにし、
前記キーデータミキサー部７７を介して第１選択信号と第２選択信号を受ける前記マイクロプロセッサー７８からは、１チャンネルミューティング部７９と２チャンネルミューティング部８０にミューティング信号を選択的に出力し、再生状態の不良な音声信号がミューティングされるように構成したことを特徴とする請求項１に記載の無線マイク用送受信装置。
【発明の詳細な説明】
【技術分野】
【０００１】
本発明は、ワイヤレスマイクロホン(以下「無線マイク」という。)用送受信装置に関し、より詳しくは、マイクの後端に組み合わされる送信機は、マイクのオン/オフ信号に応じてオン/オフとなりながら、マイクからの数字キーと機能キーによる選択信号をはじめとしたマイク音声信号を増幅した後、周波数を安定化させたうえで決められた発振周波数の無線信号に出力されるようにし、保管のための据置台内に挿入した状態で充電が行われる前記マイクの送信機は、リモートコントローラ(以下「リモコン」という。)による操作で直接又は据置台内に挿入された状態でチャンネル情報を伝達されるようにし、前記送信機から伝達されるマイクの選択信号をはじめとした音声信号の無線信号をアンテナに受け、音響機器に直接伝達する受信機を音響機器に組み合わせるための端子の幅を任意に調節するように形成することによって、どこにでも効率よく使用し得るように構成した無線マイク用送受信装置に係る。
【背景技術】
【０００２】
通常のマイクは、室内と野外の演壇や舞台に設置し、入力される音声信号を増幅せしめ、有線や無線でつながっている音響機器へと伝達し、増幅された音声を聴衆がスピーカを介して聞くことができるようにした機器である。
【０００３】
さらに、近年、マイクの使用が多くなり、カラオケ店や家庭で多くの人々が歌を歌う時にもマイクを使用しているので、その利用頻度が非常に高くなっている。
【０００４】
従来のマイクの多くは、音響機器に有線で連結して用いている。即ち、図１に示したように、マイク１００の他側に送信機１０１を分離可能に結合し、前記送信機１０１に一側が連結されたケーブル１０２の他側を受信機１０３に連結するようにし、前記受信機１０３の一側に形成のプラグ１０４を音響機器のソケット(図示せず)に差し込んで有線で直接音声信号を伝達するように構成されている。
【０００５】
しかし、前記のような従来の送信機１０１、ケーブル１０２及び受信機１０３を介してマイク１００と音響機器とを有線で連結する構成においては、ケーブルを介して有線で連結するのに手間がかかるばかりでなく、人の移動などによりケーブルに損傷を与えたり、ケーブルとマイクとの結合部が損傷し、随時に取り換えなければならなかった。
【０００６】
これにより、本出願人は、２００５年９月７日付けで下記に記載の発明(特許文献１)を提案した。これは、図２ないし図３に示すように、送信機１２０の一側にはソケット１２１を形成してマイク１１０の後端プラグ１１１に差し込まれるようにし、前記送信機１２０の他側には送信アンテナ１２２を形成し、受信機１３０の他側には受信アンテナ１４０を形成して前記送信機１２０の送信アンテナ１２２からの高周波無線信号を受信するようにし、前記受信アンテナ１４０には二つのアンテナ１４１、１４２を同時に結合し、前記受信機１３０の一側にはプラグ１３１を形成し、前記受信アンテナ１４０は、一側のソケット１４３が受信機１３０の他側に形成のプラグ１３２に分離可能に組み合わされるようにすることにより送信機１２０のソケット１２１と選択的に結合するようにし、前記受信機１３０の側面に形成の電源用ソケット１３３には電源線１５０のプラグ１５１が組み合わされるように構成している。
【０００７】
しかし、前述したような従来のマイク用送受信機によっては、無線マイクのチャンネルを任意に変更することができないため、多数の空間が隣接している場所で使いたい場合は、その利用が制限されるという問題が生じると共に、製作社ごとにアンプの規格が違うので、受信機を効率よく使えないという不都合があった。
【先行技術文献】
【特許文献】
【０００８】
【特許文献１】韓国特許出願第２００５−００８３３３２号
【発明の概要】
【発明が解決しようとする課題】
【０００９】
したがって、本発明は、前述したような従来の問題点等を解消するために案出されたものであって、マイクの後端に組み合わされる送信機は、マイクのオン/オフ信号によりオン・オフされながら、マイクからの数字キーと機能キーによる選択信号をはじめとしたマイク音声信号を増幅した後、周波数を安定化させたうえで決められた発振周波数の無線信号に出力されるようにし、保管のための据置台内に挿入させられた状態で充電が行われる前記マイクの送信機は、リモコンによる操作で直接又は据置台内に挿入された状態でチャンネル情報の伝達を受けるようにし、前記送信機から伝達されるマイクの選択信号をはじめとした音声信号の無線信号をアンテナに伝達し、音響機器に直接伝達する受信機を音響機器に結合するための端子の幅を任意に調節し得るように形成することによって、どこにでも効率よく使用することができるようにした無線マイク用送受信装置を提供することをその目的とする。
【課題を解決するための手段】
【００１０】
前記目的を達成するために本発明の無線マイク用送受信装置は、送信機の一側にはプラグを形成し、マイクの後端ジャックに差し込まれてマイクのオン・オフ信号と数字キーと機能キーによる選択信号をはじめとしたマイク音声信号の伝達を受けるようにし、前記送信機の他側には内部で処理された選択信号及びマイク音声信号を無線信号に伝送する送信アンテナを形成し、前記送信機にはリモコン受信部を形成し、リモコンによるチャンネル設定情報の入力を受けるようにし、前記マイクを挿入するための据置台には送信機に連結されている端子を通じて電源を充電すると同時にリモコンにより送信機のチャンネル設定が可能となるようにし、前記送信機から無線信号をアンテナを通じて受ける受信機本体の内部には、前記アンテナを介して受信される無線信号を処理し、音響機器に伝達すると共に、選曲と音声の出力が可能となるようにし、前記本体の後面には端子用孔と端子用長孔を並べて形成し、端子が突き出されるようにし、前記端子用長孔の内部には案内顎部を形成し、端子支持孔が備えられた端子支持片がこれに差し込まれた状態で往復移動するうちに端子用孔と端子用長孔との間隙を任意に調節し得るようにすることによって、一般マイクと音響機器にそれぞれ送信機と受信機を組み合わせる簡単な動作により無線で信号の送受信が可能となるばかりでなく、自由な充電が可能であるため使い勝手が良いものとなることを特徴とする。
【発明の効果】
【００１１】
前述したように、本発明の無線マイク用送受信装置によれば、送信機の一側にはプラグを形成し、マイクの後端ジャックに差し込まれ、マイクのオン・オフ信号と数字キーと機能キーによる選択信号をはじめとしたマイク音声信号の伝達を受けるようにすることによって、マイクと共に送信機をオン/オフするようにし、前記送信機とマイクを挿入するための据置台にリモコン受信部を形成し、リモコンによるチャンネル設定情報の入力を受けるようにすることによって、チャンネルの設定が容易となるようにし、前記受信機本体の後面には端子用孔と端子用長孔を並べて配設すると共に、前記端子用長孔の内部には案内顎部を形成し、端子支持孔の備えられた端子支持片がこれに差し込まれた状態で往復移動するうちに端子用孔と端子用長孔との間隙を任意に調節し得るように構成することによって、一般のマイクと音響機器にそれぞれ送信機と受信機を組み合わせる簡単な動作により無線で信号の送受信が可能となるばかりでなく、自由な充電が可能であるため使い勝手の向上が図れる。
【図面の簡単な説明】
【００１２】
【図１】従来のマイクと音響機器とを連結する状態を示す概略図である。
【図２】従来の送信機の構成を示す概略図である。
【図３】従来の受信機の構成を示す概略図である。
【図４】本発明の送信機、受信機の外部構成図である。
【図５】本発明の受信機の構成図である。
【図６】本発明の送信機の内部構成を示す回路図である。
【図７】本発明の受信機の構成を示すブロック図である。
【発明を実施するための形態】
【００１３】
以下、添付図面を参照して本発明の望ましい実施例について詳述する。
【００１４】
本発明による無線マイク用送受信装置は、マイクに送信機を組み合わせて音声信号をはじめとした無線信号を伝送するようにし、送信機を組み合わせた状態のマイクを据置台内に挿入して保管しながら充電が行われるようにする一方、前記送信機から無線信号を受信する受信機を音響機器に組み合わせて使用するように構成したものである。
【００１５】
図４及び図５は、本発明の外部構成を示すものであって、送信機１０の一側にはプラグ１１を形成し、マイク１の後端ジャック２に差し込まれてオン・オフ信号と選択信号及び音声信号の伝達を受けるようにし、前記選択信号は、最初のマイク音声信号による０から９までの数字キーをはじめとして予約キーＳＷ１、機能選択キーＳＷ２、スタートキーＳＷ３及び停止キーＳＷ４のキーマトリックス３をマイク１に形成し、使用者の選択仕様を入力させるようにし、前記送信機１０の内部には、内部の印刷回路基板３２を経由するうちに処理された高周波無線信号を送信アンテナ１３を介して無線で伝送しながら、リモコン受信部１４を介してリモコン５を通じた使用者のチャンネル選択信号の伝達を受けるようにし、前記送信機１０が結合されたマイク１を多数の挿入溝２１に挿入するようになっている据置台２０にはその内部の端子２２を通じて電源とチャンネル選択信号を同時に送信機１０に伝達するようにし、前記据置台２０の前面に形成したリモコン受信部２３を介して前記リモコン５を通じた使用者のチャンネル選択信号を受けるようにし、前記送信機１０の送信アンテナ１３からの無線信号を内蔵の受信アンテナ３１を通じて受信する受信機３０の内部で印刷回路基板３２を経由するうちに受信された無線信号を処理し、端子３３、３５を介して音響機器４０に伝達しながら、選曲と音声の出力が可能であるようにし、前記受信機３０の後面には端子用孔３４と端子用長孔３６を並べて形成し、端子３３、３５が突き出されるように構成し、前記端子用長孔３６の内部には案内顎部３７を形成し、端子３５を差し込み支持する支持孔３８が備えられた端子支持片３９がこれに差し込まれた状態で往復移動するうちに端子用孔３４と端子用長孔３６との間隙を任意に調節することができるように構成したものである。
【００１６】
そして、前記送信機１０は、図６に示すように、前記マイク１の後端ジャック２に差し込まれる送信機１０の一側プラグ１１を介して選択信号をはじめとしたマイク音声信号の伝達を受けるようにしたものの、前記プラグ１１を介して伝達されるスタートキーＳＷ１３による最初の選択信号は、ＰＮＰトランジスターＱ１を経て電源レギュレータ４１のイネーブル端子ＥＮに印加され、バッテリ４２からの電源が電源レギュレータ４２を経て一定の動作電源ＶＣＣとして供給されるようにし、前記プラグ１１を介して伝達されるスタートキーＳＷ１３による最初の選択信号は、ＰＮＰトランジスターＱ２を経て電源レギュレータ４３のイネーブル端子ＥＮに印加され、送信機１０の動作電源ＶＣＣが電源レギュレータ４３を経てマイク１に一定のマイク動作電源ＡＶＣＣとして供給されるようにし、前記プラグ１１を介して伝達されるスタートキーＳＷ１３による最初の選択信号は、ＰＮＰトランジスターＱ３を経て発振器４４を作動させて４ＭＨｚの発振周波数をマイクロプロセッサー４５に伝達するようにし、前記プラグ１１を経由したマイク音声信号と選択信号は、ダイオードＤ１、Ｄ２、Ｄ３、Ｄ４を備えたマイク入力コンプレッサーＩＣ４６に入力され、小さい信号は大きく増幅すると共に、大きい信号は小さく増幅するように構成し、前記マイク入力コンプレッサーＩＣ４６で増幅が行われたマイク音声信号と選択信号は、３２ＫＨｚの発振周波数と抵抗Ｒ１、Ｒ２とコンデンサーＣ１、Ｃ２、Ｃ３及びダイオードＤ５、Ｄ６、Ｄ７からなるプリエンファシス(pre-emphasis)４７で高いレベルはさらに高く変換しながら高域を強調するようにし、前記プリエンファシス４７により増幅されたマイク音声信号と選択信号は、前記スタート信号による電源が入力され、コイルＬ１とコンデンサーＣ４、Ｄ５、Ｃ６、Ｃ７と抵抗Ｒ３、Ｒ４及びトランジスターＱ４からなるＦＭ変調部４８に入力されるようにして前記発振周波数に応じて振幅が変わる周波数変調が行われるようにし、前記ＦＭ変調部４８で周波数が変調された無線信号は位相同期ループＩＣ(ＰＬＬ：ｐｈａｓｅ  ｌｏｃｋｅｄ  ｌｏｏｐ)４９に入力され、前記マイクロプロセッサー４５から伝達される基準信号の周波数と同じく分周された周波数の安定した発振出力を得られるようにし、前記位相同期ループからのマイク音声信号と選択信号は、前記マイクロプロセッサー４５から出力イネーブル信号ＴＸ-ＥＮの伝達を受け、コイルＬ２、Ｌ３とトランジスターＱ５、Ｑ６と抵抗Ｒ５、Ｒ６とコンデンサーＣ８、Ｃ９、Ｃ１０、Ｃ１１、Ｃ１２、Ｃ１３及びコイルＬ４、Ｌ５、Ｌ６からなる電力増幅器(ｐｏｗｅｒ  ａｍｐｌｉｆｉｅｒ)５０を経て送信アンテナ１３を通じて高周波無線信号に出力されるようにし、前記送信機１０が据置台２０に組み合わされると、送信アンテナ１３が周波数のセッティングのための信号端子の機能を奏しながら、４.２Ｖの電源端子１５と接地端子１６が一般的な据置台２０から充電用電源を供給されてバッテリに充電するようになっている。
【００１７】
図７は、本発明の受信機の構成を概略的に示し、前記送信アンテナ１３から伝送され、受信機３０の受信アンテナ３１を通じて受信されて伝達される高周波無線信号は、フィルタ５１を経て低雑音(ＬＮＡ)高周波増幅器５２から受信された無線信号の雑音指数を低くして２つの周波数にそれぞれ受信されるようにし、前記低雑音高周波増幅器５２により雑音が除去された無線信号は、第１フィルタ５３を経て第１電圧制御発振器(１ＣＨ-ＶＣＯ)５４から電圧により出力される発振周波数と第１ミキサー５５で混合されるようにして受信したい周波数より中間周波数の１０.７Ｍｈｚさらに高い発振周波数と混合した混合周波数を得るようにし、前記第１ミキサー５５からの混合周波数が第１の１０.７Ｍｈｚフィルタ５６を経由するうちに１０.７Ｍｈｚの中間周波数を得るようにし、前記第１の１０.７Ｍｈｚフィルタ５６から伝達される１０.７Ｍｈｚの中間周波数を第１ＦＭ復調器５７で本来のマイク音声信号と選択信号に復調するようにし、前記復調された音声信号の伝達を受ける第１ディエンファシス(ｄｅ-ｅｍｐｈａｓｉｓ)５８で低いレベルは高くして低域を強調しながら本来レベルのマイク音声信号と選択信号に変換するようにし、前記第１ディエンファシス５８を経由した本来レベルのマイク音声信号は、第１音声フィルタ５９を経由するうちに１チャンネル音声信号に再生されるようにし、前記第１音声フィルタ５９から出力される１チャンネル音声信号は、第１伸張器６０を経るうちに小さい信号は小さく増幅しながら、大きい信号は大きく増幅するようにし、音色が損なわれない原音に復元するようにし、前記低雑音高周波増幅器５２により雑音が除去された無線信号は同時に第２フィルタ６１を経て第２電圧制御発振器(２ＣＨ-ＶＣＯ)６２から電圧により出力される発振周波数と第２ミキサー６３で混合されるようにして、受信したい周波数より中間周波数の１０.７Ｍｈｚさらに高い発振周波数と混合した混合周波数を得るようにし、前記第２ミキサー６３からの混合周波数が第２の１０.７Ｍｈｚフィルタ６４を経由するうちに１０.７Ｍｈｚの中間周波数を得るようにし、前記第２の１０.７Ｍｈｚフィルタ６４から伝達される１０.７Ｍｈｚの中間周波数を第２ＦＭ復調器６５で本来のマイク音声信号と選択信号に復調するようにし、前記復調された音声信号の伝達を受ける第２ディエンファシス(ｄｅ-ｅｍｐｈａｓｉｓ)６６で低いレベルは高くして低域を強調しながら本来レベルのマイク音声信号と選択信号に変換するようにし、前記第２ディエンファシス６６を経由した本来レベルのマイク音声信号は第２音声フィルタ６７を経由するうちに２チャンベル音声信号に再生されるようにし、前記第２音声フィルタ６７から出力される２チャンネル音声信号は、第２伸張器６８を経由するうちに小さい信号は小さく増幅しながら、大きい信号は大きく増幅するようにし、音色が損なわれない原音に復元するようにし、前記第１伸張器６０及び第２伸張器６８からの原音は、音声ミキサー６９で混合された後、音声出力部７０を経て有線で連結されている音響機器４０に伝達されるようにし、一方、前記第１ディエンファシス５８を経由した本来レベルの選択信号は、第１の３８ｋフィルタ７１を経由するうちに１チャンネル選択信号を通過するようにし、前記第１の３８ｋフィルタ７１からの１チャンネル選択信号は、第１の３８ｋ-ａｓｋ復調器７２から振幅が高く来ると“１”と認識すると共に、振幅が低く来ると“０”と認識するうちに、第１チャンネル選択信号を復調するようにし、前記第１の３８ｋ-ａｓｋ復調器７２からの第１チャンネル選択信号は、１チャンネルキーデータ検出部７３を経るうちに１チャンネル選択信号のみが検出されるようにし、前記第２ディエンファシス６６を経由した本来レベルの選択信号は、第２の３８ｋフィルタ７４を経由するうちに１チャンネル選択信号を通過するようにし、前記第２の３８ｋフィルタ７４からの２チャンネル選択信号は、第２の３８ｋ−ａｓｋ復調器７５から振幅が高く来ると“１”と認識すると共に、振幅が低く来ると“０”と認識するうちに、第２チャンネル選択信号を復調するようにし、前記第２の３８ｋ−ａｓｋ復調器７５からの第２チャンネル選択信号は、２チャンネルキーデータ検出部７６を経由するうちに２チャンネル選択信号のみが検出されるようにし、前記１チャンネルキーデータ検出部７３からの１チャンネル選択信号と２チャンネルキーデータ検出部７６からの２チャンネル選択信号は、キーデータミキサー部７７を経由するうちに混合されてマイクロプロセッサー７８に伝達されるようにし、使用者がマイク１のキーマットリックス３を介して入力させた、選択に応じたデータ信号を認識した前記マイクロプロセッサー７８は、前記第１電圧制御発振器(１ＣＨ-ＶＣＯ)５４又は第２電圧制御発振器(２ＣＨ-ＶＣＯ)６２に１チャンネルと２チャンネルを選択するためのチャンネル周波数を出力するようにし、前記キーデータミキサー部７７を介して第１選択信号と第２選択信号の伝達を受ける前記マイクロプロセッサー７８では、１チャンネルミューティング部７９と２チャンネルミューティング部８０にミューティング信号を選択的に出力し、再生状態がよくない音声信号がミューティングされるようにし、電源キー(図示せず)をオンにさせると、一般的な電源供給回路を介して前記マイクロプロセッサー７８をはじめとした内部部品に必要な電源を供給されるようにする。
【００１８】
そして、使用者がリモコン５を介して入力させた、チャンネル選択によるデータ信号は、リモコン受信部８１を介して前記マイクロプロセッサー７８に伝達されるようになっている。
【００１９】
前記実施例において、マイク１の選択信号及び音声信号が送信機１０を経て高周波方式により受信機３０に伝達する実施例を記述したが、ＩＲ生成部とＩＲ伝送部によりマイク１の選択信号及び音声信号をＩＲ信号に変換して出力し、ＩＲ受信部とＩＲ復元部を経由するうちにＩＲ信号に伝送しても関係なく、信号の変換のための一般的な技術を用いることも可能である。
【００２０】
以上では、本発明の望ましい実施例について図面を参照して詳述したが、本発明は前記実施例に限定されるものではなく、特許請求範囲を介して請求している本発明の要旨から逸脱せずに本発明の属する技術分野において通常の知識を有する者であれば誰でも様々に変形して実施可能であることはもちろんであり、その変形は記載された請求範囲内に含まれる。
【符号の説明】
【００２１】
１  マイク
５  リモコン
１０  送信機
１４、２３  リモコン受信部
２０  据置台
３０  受信機
４０  音響機器
【図１】
2010158007.tif 000003
【図２】
2010158007.tif 000004
【図３】
2010158007.tif 000005
【図４】
2010158007.tif 000006
【図５】
2010158007.tif 000007
【図６】
2010158007.tif 000008
【図７】
2010158007.tif 000009